(57)【要約】【課題】天板４をワゴン本体３より外して所望の位置に置くことにより天板４上の物品を一挙に所望位置に移動出来るようにする。【解決手段】ワゴン本体３と、このワゴン本体３に取り外し自在となされた天板４とを有し、前記天板４に把手１６が設けられている。天板４の下面の支持脚２０と把手１６とは、支持脚２０に形成された上下方向に貫通する貫通孔２１を通じて下方からねじ２２を垂直部１６ａに形成されたねじ孔２３にねじ嵌めることにより、天板４を挟持するかたちで天板４に一挙に固定されている。【選択図】  図３
2004201769.tif 000002
【特許請求の範囲】
【請求項１】
ワゴン本体と、このワゴン本体に取り外し自在となされた天板とを有し、前記天板に把手が設けられている家庭用ワゴン。
【請求項２】
前記把手が、天板上面に上方突出状に設けられたものである請求項１記載の家庭用ワゴン。
【請求項３】
前記ワゴン本体が、前後方向に所定間隔をあけて対向する前後一対の枠体と、これら枠体の上端より下の部分に渡し止められた、少なくとも２本の上部連結材とを有しており、天板が、前後の枠体の間に嵌まり込む状態で上部連結材に載置されるようになされている請求項１又は２記載の家庭用ワゴン。
【請求項４】
前記天板の下面に支持脚が設けられている請求項１又は２記載の家庭用ワゴン。
【請求項５】
前記ワゴン本体が、前後方向に所定間隔をあけて対向する前後一対の枠体と、これら枠体の上部に渡し止められた、少なくとも２本の上部連結材とを有しており、前記天板の下面に所要個の支持脚が設けられ、前記天板が上部連結材に載置された状態において、前記支持脚が、上部連結材の内側方又は外側方に位置するようになされて天板の左右動を阻止するストッパーとなるようになされている請求項１又は２記載の家庭用ワゴン。
【請求項６】
前記把手が天板上面に上方突出状に設けられたものであり、前記天板の下面に支持脚が設けられ、前記把手と支持脚とが天板を挟んで対向するようになされて把手と支持脚とがねじにより天板を挟持するようにして天板に固定されている請求項１記載の家庭用ワゴン。
【発明の詳細な説明】
【０００１】
【発明の属する技術分野】
本発明は家庭用ワゴンに関する。
【０００２】
【従来の技術】
従来、この種の家庭用ワゴンとして以下の如きものは知られている。
下部に車輪ユニットを有するワゴン本体と、このワゴン本体に固定された天板とを有するものは知られている。（参考文献：特開平７−５１，１３０号公報）
【０００３】
【従来技術の欠点】
前記従来の家庭用ワゴンには以下の如き欠点があった。
天板がワゴン本体に固定されたものであったため、所望位置に天板上の物品を移載する際、物品各々を１個ずつ移載せざるを得ず、その作業が面倒であるという欠点があった。
【０００４】
【前記欠点を解消するための手段】
本発明は前記欠点を解消するために以下の如き手段を採用した。
▲１▼請求項１の発明は、ワゴン本体と、このワゴン本体に取り外し自在となされた天板とを有し、前記天板に把手が設けられているものである。
▲２▼請求項２の発明は、前記把手が、天板上面に上方突出状に設けられたものである請求項１記載のものである。
▲３▼請求項３の発明は、前記ワゴン本体が、前後方向に所定間隔をあけて対向する前後一対の枠体と、これら枠体の上端より下の部分に渡し止められた、少なくとも２本の上部連結材とを有しており、天板が、前後の枠体の間に嵌まり込む状態で上部連結材に載置されるようになされている請求項１又は２記載のものである。
▲４▼請求項４の発明は、前記天板の下面に支持脚が設けられている請求項１又は２記載のものである。
▲５▼請求項５の発明は、前記ワゴン本体が、前後方向に所定間隔をあけて対向する前後一対の枠体と、これら枠体の上部に渡し止められた、少なくとも２本の上部連結材とを有しており、前記天板の下面に所要個の支持脚が設けられ、前記天板が上部連結材に載置された状態において、前記支持脚が、上部連結材の内側方又は外側方に位置するようになされて天板の左右動を阻止するストッパーとなるようになされている請求項１又は２記載のものである。
▲６▼請求項６の発明は、前記把手が天板上面に上方突出状に設けられたものであり、前記天板の下面に支持脚が設けられ、前記把手と支持脚とが天板を挟んで対向するようになされて把手と支持脚とがねじにより天板を挟持するようにして天板に固定されている請求項１記載のものである。
【０００５】
【発明の効果】
本発明は前記した如き構成によって以下の如き効果を奏する。
▲１▼請求項１の発明によれば、天板をワゴン本体より外して所望の位置に置くことにより天板上の物品を一挙に所望位置に移動することが出来、他方、ワゴン本体より外した天板を所定位置に置いた後、その天板に物品を載置し、その後、物品が載置された天板をワゴン本体に載せることにより、物品を一挙にワゴンに載せることが出来る。また、把手を利用して天板の移動をスムーズに行なうことが出来る。
▲２▼請求項２の発明によれば、把手が天板上面に上方突出状に設けられたものであるので、把手を握る作業が行ないやすい。
▲３▼請求項３の発明によれば、天板の、ワゴン本体への取り付け（載置）が行ないやすい。
▲４▼請求項４の発明によれば、天板の下面に支持脚が設けられているので、ワゴン本体より取り外した天板をテーブル上面や厨房キャビネットの作業面に載置した際、支持脚のみがテーブル上面や厨房キャビネットの作業面に当たるものであるから、テーブル上面や厨房キャビネットの作業面が濡れていても、天板の持ち上げが行ないやすい。換言すれば、支持脚がない場合、天板下面全体が濡れたテーブル上面や厨房キャビネットの作業面に当接して、表面張力により天板の持ち上げが行ないにくくなるが、請求項４の発明によれば、そのようなことがないといことである。
▲５▼請求項５の発明によれば、支持脚が天板の左右動を阻止するストッパーとなされているので、少ない部品点数で、天板がワゴン本体の左右方向から脱落するという事故を防止することが出来る。
▲６▼請求項６の発明によれば、把手と支持脚とがねじにより天板を挟持するようにして天板に固定されているので、把手と支持脚との天板への固定を一挙に且つ簡単に行なうことが出来る。
【０００６】
【発明の実施の形態】
以下に、２つの発明の実施の形態を説明する。
なお、これらの説明において同一の部材は同一の符号で示す。
【０００７】
［第１の実施の形態］（図１〜図３参照）
なお、この説明において、前とは図１紙面表側を、後とは同裏側をいい、左とは図１左側を、右とは同図右側をいう。
【０００８】
家庭用ワゴン１は、台所に設置の作業テーブルの下方空間や下方に空間を有する厨房キャビネットの下方空間に収納されるようになされている。
【０００９】
家庭用ワゴン１は、ワゴン本体３と、このワゴン本体３に取り外し自在となされた天板４とを有している。
【００１０】
前記ワゴン本体３は、前後方向に所定間隔をあけて対向する前後一対の枠体６と、これら枠体６の下部に渡し止められた底板７と、底板７の下部の４隅に直接又は間接に設けられた車輪ユニット８と、前記枠体６の上端より下の部分に渡し止められた２本の上部連結材９とを有している。前側の枠体６に、把手１２を有する装飾前板１１が取り付けられている。
【００１１】
前記天板４は、前後の枠体６の間に嵌まり込む状態で上部連結材９に載置されようになされている。天板４は、本体１４と、本体１４の、枠体６の支柱部６ａに対向する部分に設けられた弾性体１５と、本体１４の上面左右部に上方突出状に設けられた把手１６とを有している。前記弾性体１５は、天板４を前後の枠体６の間に嵌めた際、支柱部６ａに強く当たるようになされている。
【００１２】
前記把手１６は、前後の垂直部１６ａと、垂直部１６ａの上端に渡された前後方向に長い水平部１６ｂとを有している。図３に示すごとく、垂直部１６ａ間の、水平部１６ｂの下方が指通過間隙１８となされている。この指通過間隙１８の前後長さＨは、（天板４の前後長さＷ）×（０．８）以上の長さとなされている。このような構成により、水平部１６ｂの、手で掴むことが出来る部分を長くして、把手１６の握持を行ないやすくしている。
【００１３】
前記垂直部１６ａに対向するようにして天板４の下面に支持脚２０が当てられている。前記支持脚２０と把手１６とは、支持脚２０に形成された上下方向に貫通する貫通孔２１を通じて下方からねじ２２を垂直部１６ａに形成されたねじ孔２３にねじ嵌めることにより、天板４を挟持するかたちで天板４に一挙に固定されている。
【００１４】
前記支持脚２０は、天板４を前後の枠体６の間に嵌めた際、上部連結材９の外側方に位置するようになされ、天板４を左右動させる力を天板４に加えると支持脚２０が上部連結材９に当たるようになされていて、支持脚２０が天板４の左右動を阻止するストッパーとストッパーとして機能するようになされている（図２参照）。なお、支持脚２０は、上部連結材９の内側方又は外側方に位置し、少なくとも１つの支持脚２０が天板４の、左側への移動を阻止するストッパーとして作用し、別の、少なくとも１つの支持脚２０が天板４の、右側への移動を阻止するストッパーとして作用するようになされていればよい。
【００１５】
［第２の実施の形態］（図４参照）
なお、この説明において、前とは図４下側を、後とは同図上側をいい、左とは図４左側を、右とは同図右側をいう。
【００１６】
天板２５は、左右部に前後方向に長い指通過間隙２６が形成され、これら指通過間隙２６の外側部が把手２７となされている。前記指通過間隙２６の前後長さｈは、（天板２５の前後長さＷ）×（０．８）以上の長さとなされている。支持脚２０はねじ（図示略）により天板２５に取り付けられている。
【００１７】
【変形例等】
以下に変形例等について説明を加える。
（１）把手１２は指通過間隙１８を有せず、上部に握持膨出部を有するものであってもよい。
（２）天板の素材は任意である。
（３）上部連結材９より上方には前後の枠体６の上部が突出することがない構造とし、即ち、上部連結材９に天板４を載置した際、天板４が、前後の枠体６の間に嵌まり込む状態とはならないような構造とし、支持脚２０が上部連結材９の内側方又は外側方に位置するようにして、天板４を左右動させる力を天板４に加えると支持脚２０が上部連結材９に当たるようにして、支持脚２０を天板４の左右動を阻止するストッパーとしてもよい。この場合、少なくとも１つの支持脚２０が天板４の、左側への移動を阻止するストッパーとして作用し、別の、少なくとも１つの支持脚２０が天板４の、右側への移動を阻止するストッパーとして作用するようにすればよい。
（４）弾性体１５はない場合もある。
【図面の簡単な説明】
【図１】本発明の第１の実施の形態を示す一部破砕の正面図である。
【図２】図１のＩＩ−ＩＩ線に沿う一部破砕の矢視図である。
【図３】図１のＩＩＩ−ＩＩＩ線に沿う中間省略の拡大矢視図である。
【図４】本発明の第２の実施の形態を示す天板の平面図である。
【符号の説明】
１  家庭用ワゴン
３  ワゴン本体
４  天板
１６  把手
【図１】
2004201769.tif 000003
【図２】
2004201769.tif 000004
【図３】
2004201769.tif 000005
【図４】
2004201769.tif 000006